(57)【特許請求の範囲】
【請求項１】
開口部がシール部材によって封止されたカップ本体に、前記シール部材を破断して開封する切刃部材を備えた蓋体が被着されてなる蓋付きカップ容器であって、
前記切刃部材は、カップ本体における軸線方向に延在しかつ前記蓋体の天壁部に第１ヒンジ部を介して連結されたレバー部と、このレバー部における前記シール部材側の端部に第２ヒンジ部を介して基端部が連結されるとともに、先端部にシール部材側に向けて突出する切刃が形成された切刃部と、を備え、
前記レバー部を、第１ヒンジ部回りに前記切刃部から離れる方向に回動させたときに、前記切刃が前記シール部材に向けて前進移動させられ、
前記天壁部には支持壁部が突設されるとともに、前記レバー部はこの支持壁部に第１ヒンジ部を介して連結され、
前記レバー部を、第１ヒンジ部回りに前記切刃部から離れる方向に回動させたときに、このレバー部が前記支持壁部をシール部材側に向けて押し込むことにより、前記天壁部がシール部材側に向けて陥没変形させられることを特徴とする蓋付きカップ容器。
【請求項２】
請求項１記載の蓋付きカップ容器であって、
前記天壁部には、支持壁部を前記軸線に直交する径方向の外側から囲う薄肉部が形成されていることを特徴とする蓋付きカップ容器。
【発明の詳細な説明】
【技術分野】
【０００１】
本発明は蓋付きカップ容器に関するものである。
【背景技術】
【０００２】
この種の蓋付きカップ容器として、例えば下記特許文献１に示されるような、開口部がシール部材によって封止されたカップ本体に、シール部材を破断して開封する切刃部材を備えた蓋体が被着されてなる構成が知られている。切刃部材は、シール部材を上方から覆う蓋体の天壁部に設けられており、その先端部にシール部材側に向けて突出する切刃が形成されるとともに、基端部が天壁部にヒンジ部を介して連結されている。以上より、切刃部材を上方から指等で押圧すると、切刃がシール部材に向けて前進移動するように切刃部材がヒンジ部回りに回動することにより、切刃がシール部材を破断して、蓋付きカップ容器が開封されるようになっている。
【特許文献１】特許２００５−２２７５７号公報
【発明の開示】
【発明が解決しようとする課題】
【０００３】
しかしながら、前記従来の蓋付きカップ容器では、切刃部材を指で押し込んだときに、指がカップ本体内に入り込んで内容物に触れることがあり、内容物が例えば飲料等の食品の場合には不衛生になるおそれがあった。
また近年では、蓋付きカップ容器を開封させるのに要する力を低減することで開封性を向上させることに対する要望も高まっている。
【０００４】
本発明は、このような事情を考慮してなされたもので、衛生的でしかも良好な開栓性を有する蓋付きカップ容器を提供することを目的とする。
【課題を解決するための手段】
【０００５】
上記課題を解決して、このような目的を達成するために、本発明の蓋付きカップ容器は、開口部がシール部材によって封止されたカップ本体に、前記シール部材を破断して開封する切刃部材を備えた蓋体が被着されてなる蓋付きカップ容器であって、前記切刃部材は、カップ本体における軸線方向に延在しかつ前記蓋体の天壁部に第１ヒンジ部を介して連結されたレバー部と、このレバー部における前記シール部材側の端部に第２ヒンジ部を介して基端部が連結されるとともに、先端部にシール部材側に向けて突出する切刃が形成された切刃部と、を備え、前記レバー部を、第１ヒンジ部回りに前記切刃部から離れる方向に回動させたときに、前記切刃が前記シール部材に向けて前進移動させられ、前記天壁部には支持壁部が突設されるとともに、前記レバー部はこの支持壁部に第１ヒンジ部を介して連結され、前記レバー部を、第１ヒンジ部回りに前記切刃部から離れる方向に回動させたときに、このレバー部が前記支持壁部をシール部材側に向けて押し込むことにより、前記天壁部がシール部材側に向けて陥没変形させられることを特徴とする。
この発明では、レバー部を、第１ヒンジ部回りに切刃部から離れる方向に回動させたときに、切刃がシール部材に向けて前進移動させられ、これにより切刃がシール部材を破断するようになっているので、蓋付きカップ容器を開封する過程で、レバー部を操作する指を、シール部材において切刃で破断されて開口する開口部分から漸次離間させることが可能になり、この開封時に指がカップ本体内に入り込む等して内容物に接するのを防ぐことができる。
また、この開封時にレバー部を前述のように回動させることから梃子作用が奏されることになり、レバー部に加える力を、前記従来の蓋付きカップ容器のように指で直接切刃を押し込む場合と比べて小さくしても、切刃でシール部材を確実に破断することが可能になり、蓋付きカップ容器の開封性を向上させることができる。
【０００６】
ここで、レバー部を前述のように回動させたときに、蓋体の天壁部がシール部材側に向けて陥没変形させられるようになっているので、開封前に、例えばカップ本体の内部が減圧状態にある等してシール部材が前記開口部よりもカップ本体の内側に向けて陥没変形し天壁部とシール部材との間に空間が形成されていた場合においても、開封時に、この空間を小さくすることが可能になり、開封後に内容物をシール部材の前記開口部分から流出させる過程で、この内容物が前記空間内に入り込んで溜まるのを抑制することができる。
ここで、カップ本体に高温の内容物を充填する場合において、蓋体の天壁部がカップ本体の内圧によりシール部材を介して膨出変形させられるのを防ぐために、この天壁部を予めシール部材から離れる方向に膨出させた凸曲面状に形成すると、開封前の前記空間が一層大きくなってしまうので、前述の作用効果が顕著に奏功されることになる。
【０００７】
また、前記天壁部には、支持壁部を前記軸線に直交する径方向の外側から囲う薄肉部が形成されてもよい。
この場合、蓋体の天壁部に、支持壁部を前記径方向の外側から囲う薄肉部が形成されているので、レバー部を前述のように回動させたときに、天壁部を容易かつ確実にシール部材側に向けて陥没変形させることが可能になる。すなわち、天壁部を陥没変形させるために、開封に際しレバー部に付与する力が大きくなってしまうのを防ぐことができる。
【発明の効果】
【０００８】
この発明に係る蓋付きカップ容器によれば、衛生的でしかも良好な開栓性を具備させることができる。
【発明を実施するための最良の形態】
【０００９】
以下、図面を参照し、この発明の実施の形態について説明する。この実施形態に係る蓋付きカップ容器１０は、開口部１１ａがシール部材１２によって封止されたカップ本体１１に、シール部材１２を破断して開封する切刃部材２１を備えた蓋体２２が被着されている。なお図示の例では、蓋体２２にはオーバーキャップ１４が着脱可能に設けられている。
【００１０】
カップ本体１１は横断面視円形状の有底円筒状に形成されている。以下、横断面がなす円形状の中心を通る直線を軸線Ｏといい、また、この軸線Ｏ方向に沿って開口部１１ａ側を上側、底部１３側を下側といい、さらに、前記軸線Ｏを通りかつこの軸線Ｏに直交する方向を径方向という。
そして、カップ本体１１の胴部１５は、上側から下側に向かうに従い漸次縮径している。また、カップ本体１１の上端開口縁には、その径方向の外側に向けて突出するフランジ部１１ｂが全周にわたって設けられている。このフランジ部１１ｂの上面に前記シール部材１２が貼着されて前記開口部１１ａが封止されている。
【００１１】
蓋体２２は、内側にカップ本体１１のフランジ部１１ｂが嵌合される装着筒部２３と、装着筒部２３よりも小径に形成されかつ装着筒部２３よりも上方に配置された突出筒部２４と、前記径方向に延在しかつ突出筒部２４の内側を閉塞する上面視円形状の天壁部２５と、を備えている。この蓋体２２は前記軸線Ｏと同軸に配置されている。なお、図示の例では、突出筒部２４は、内筒２４ａ、外筒２４ｂおよびこれらの両筒２４ａ、２４ｂの上端部同士を連結する円環状の連結板２４ｃを備え、内筒２４ａの下端内周面に前記天壁部２５の外周面が連結されている。また、図示の例では、天壁部２５は上方に向けて膨出した凸曲面状に形成されている。さらに、この天壁部２５に前記切刃部材２１が設けられている。
【００１２】
そして、本実施形態では、切刃部材２１は、前記軸線Ｏ方向に延在しかつ蓋体２２の天壁部２５に第１ヒンジ部２６を介して連結されたレバー部２７と、このレバー部２７の下端部（シール部材１２側の端部）に第２ヒンジ部２８を介して基端部が連結されるとともに、先端部に下方（シール部材１２側）に向けて突出する切刃２９が形成された切刃部３０と、を備えている。
【００１３】
図示の例では、切刃部材２１は、レバー部２７が前記軸線Ｏから前記径方向の外側に離れて位置し、かつ切刃２９が天壁部２５における外周縁の一部にその上方から対向するように天壁部２５に配設されている。また、切刃部３０は、第２ヒンジ部２８側から前記径方向の外側に向かうに従い漸次上方に向けて延在している。そして、この切刃部材２１の縦断面視形状は、第２ヒンジ部２８が下方に向けて突となるように屈曲したＶ字状となっている。
【００１４】
そして、天壁部２５において切刃部材２１と対向する部分には、後述するようにレバー部２７を、第１ヒンジ部２６回りに切刃部３０から離れる方向Ｒに回動させたときに、切刃２９が通過してシール部材１２に到達する貫通孔２５ａが形成されている。図示の例では、貫通孔２５ａは上面視矩形状に形成されており、その前記径方向の外方端は天壁部２５の外周面に到達し、前記径方向の内方端は前記軸線Ｏよりも前記径方向の外側に位置している。
【００１５】
また、天壁部２５において貫通孔２５ａに前記径方向で連なる部分には、支持壁部３１が突設されている。図示の例では、この支持壁部３１は、天壁部２５の上面視においてレバー部２７および切刃部３０が連設された方向に直交する直交方向Ａに沿って連続して延在している。また、支持壁部３１は、図１および図３に示されるように、上方に向かうに従い漸次、貫通孔２５ａ側、つまり前記径方向の外側に向けて延びる傾斜壁となっている。そして、この支持壁部３１の上端部において貫通孔２５ａ側を向く部分に、切刃部材２１におけるレバー部２７の下部が第１ヒンジ部２６を介して連結されている。
【００１６】
さらに、天壁部２５において貫通孔２５ａに前記直交方向Ａの両側から連なる両側部分には、ガイド壁部３２が突設されている。図示の例では、ガイド壁部３２は、天壁部２５の前記両側部分において支持壁部３１寄りの部分に設けられている。そして、これらのガイド壁部３２同士の間に、レバー部２７の下端部、第２ヒンジ部２８、および切刃部３０において第２ヒンジ部２８側の端部が位置している。さらに、これらのガイド壁部３２において互いに対向する対向面には、切刃部材２１に向けてピン３３が突設されており、これらのピン３３が、切刃部材２１において第２ヒンジ部２８と切刃２９との間に位置する部分の両側面に各別に連結されている。図示の例では、ピン３３は、切刃部３０において第２ヒンジ部２８側の端部の両側面に連結されている。
【００１７】
次に、以上のように構成された蓋付きカップ容器１０を開封する方法について説明する。
まず、オーバーキャップ１４を蓋体２２から外し、その後、図３に示されるようにレバー部２７を、第１ヒンジ部２６回りに切刃部３０から離れる方向Ｒに回動させる。すると、切刃部３０がピン３３回りに切刃２９が下方に向けて移動するように回動させられつつ、第２ヒンジ部２８が上方に向けて移動させられて、その屈曲方向が逆向きになる。すなわち、切刃部材２１の縦断面視形状が、第２ヒンジ部２８が上方に向けて突となるように屈曲した逆Ｖ字状になる。さらに、この過程で、切刃２９が、貫通孔２５ａを上方から下方に向けて通過してシール部材１２に到達し、このシール部材１２を破断することにより、蓋付きカップ容器１０が開封される。なお、このときシール部材１２の外周部の一部が開口する。
【００１８】
以上説明したように本実施形態に係る蓋付きカップ容器１０によれば、レバー部２７を、第１ヒンジ部２６回りに切刃部３０から離れる方向Ｒに回動させたときに、切刃２９がシール部材１２に向けて前進移動させられ、これにより切刃２９がシール部材１２を破断するようになっているので、蓋付きカップ容器１０を開封する過程で、レバー部２７を操作する指を、シール部材１２において切刃２９で破断されて開口する部分から漸次離間させることが可能になり、この開封時に指がカップ本体１１内に入り込む等して内容物に接するのを防ぐことができる。
【００１９】
また、この開封時にレバー部２７を前述のように回動させることから梃子作用が奏されることになり、レバー部２７に加える力を、前記従来の蓋付きカップ容器のように指で直接切刃を押し込む場合と比べて小さくしても、切刃２９でシール部材１２を確実に破断することが可能になり、蓋付きカップ容器１０の開封性を向上させることができる。
さらに、蓋体２２の天壁部２５が上方に向けて膨出した凸曲面状に形成されているので、カップ本体１１に高温の内容物を充填したときに、天壁部２５がカップ本体１１の内圧によりシール部材１２を介して膨出変形させられるのを防ぐことが可能になる。
【００２０】
なお、本発明の技術的範囲は前記実施の形態に限定されるものではなく、本発明の趣旨を逸脱しない範囲において種々の変更を加えることが可能である。
例えば、図１から図３で示した蓋付きカップ容器１０に代えて図４および図５に示されるような蓋付きカップ容器４０を採用してもよい。この蓋付きカップ容器４０においては、カップ本体１１に被着された蓋体４１の天壁部４２に、支持壁部３１を前記径方向の外側から囲う第１薄肉部４３および第２薄肉部４４が形成されている。
【００２１】
本実施形態では、第１薄肉部４３および第２薄肉部４４は上面視円弧状に形成され、前記軸線Ｏと同軸に配置されている。また、第１薄肉部４３は、ピン３３よりも前記径方向の外側に形成され、第２薄肉部４４は第１薄肉部４３よりも大径で天壁部４２に外周縁部に形成されている。また、第１薄肉部４３は天壁部４２において下方を向く内面に形成され、第２薄肉部４４は天壁部４２において上方を向く外面に形成されている。
【００２２】
以上のように構成された蓋付きカップ容器４０は、前記実施形態と同様にして蓋付きカップ容器４０を開封する過程で、レバー部２７が、支持壁部３１をその上端から下方に向けて押圧することで下方に向けて押し込む。そしてこの力が支持壁部３１を介して天壁部４２に伝達することにより、第１薄肉部４３が下方に向けて折り曲げられ、かつ第２薄肉部４４が上方に向けて折り曲げられることによって、天壁部４２において第２薄肉部４４よりも前記径方向の内側に位置する部分が、下方に向けて陥没変形させられる。本実施形態では、天壁部４１が上方に向けて膨出した凸曲面状に形成されているので、レバー部２７が支持壁部３１を前述のように押し込むと、天壁部４１は反転変形し下方に向けて膨出した凹曲面状に変形する。
【００２３】
この図４および図５に示される蓋付きカップ容器４０においては、レバー部２７を前述のように回動させたときに、蓋体４１の天壁部４２が下側に向けて陥没変形させられるようになっているので、開封前に、例えばカップ本体１１の内部が減圧状態にある等してシール部材１２が前記開口部１１ａよりもカップ本体１１の内側に向けて陥没変形し天壁部４２とシール部材１２との間に空間が形成されていた場合においても、開封時に、この空間を小さくすることが可能になり、開封後に内容物をシール部材１２の前記開口部分から流出させる過程で、この内容物が前記空間内に入り込んで溜まるのを抑制することができる。
さらに本実施形態では、天壁部４２が上方に膨出した凸曲面状に形成されているので、開封前の前記空間が一層大きくなってしまうことになるため、前述の作用効果が顕著に奏功されることになる。
【００２４】
また、本実施形態では、蓋体４１の天壁部４２に、支持壁部３１を前記径方向の外側から囲う第１薄肉部４３および第２薄肉部４４が形成されているので、レバー部２７を前述のように回動させたときに、天壁部４２を容易かつ確実に下方に向けて陥没変形させることが可能になる。すなわち、天壁部４２を陥没変形させるために、開封に際しレバー部２７に付与する力が大きくなってしまうのを防ぐことができる。
【００２５】
なお、前記各実施形態では、天壁部２５、４２が上方に向けて膨出した凸曲面状に形成された構成を示したが、これに限らず例えば、前記軸線Ｏ方向に直交する平坦面に形成する等適宜変更してもよい。
【産業上の利用可能性】
【００２６】
衛生的でしかも良好な開栓性を具備させることができる。
【図面の簡単な説明】
【００２７】
【図１】本発明に係る一実施形態として示した蓋付きカップ容器の縦断面図である。
【図２】図１に示す蓋付きカップ容器の上面図である。
【図３】図１に示す蓋付きカップ容器において開封したときを示す一部拡大図である。
【図４】本発明に係る他の実施形態として示した蓋付きカップ容器の縦断面図である。
【図５】図４に示す蓋付きカップ容器において開封したときを示す一部拡大図である。
【符号の説明】
【００２８】
１０、４０  蓋付きカップ容器
１１  カップ本体
１１ａ  開口部
１２  シール部材
２１  切刃部材
２２、４１  蓋体
２５、４２  天壁部
２６  第１ヒンジ部
２７  レバー部
２８  第２ヒンジ部
２９  切刃
３０  切刃部
３１  支持壁部
４３  第１薄肉部（薄肉部）
４４  第２薄肉部（薄肉部）
Ｏ  軸線
【図１】
0005033619.tif 000002
【図２】
0005033619.tif 000003
【図３】
0005033619.tif 000004
【図４】
0005033619.tif 000005
【図５】
0005033619.tif 000006